(57)【要約】【課題】通気胴縁等の取付け状態を安定の良いしっかりとしたものにできると共に、デッキプレート下面側からのビス先端の突出をなくせ、加えて、デッキプレートの山部の位置に関係なく通気胴縁等の取付け位置を決めることができ、しかも、それを施工容易に実現できる屋根の構造を提供する。【解決手段】デッキプレート３の上面に断熱層４が設けられ、断熱層４は、合板１１の一方の面に発泡樹脂断熱材１２が接着一体化された断熱材付き合板からなり、発泡樹脂断熱材１２を下、合板１１を上にしてデッキプレート３の上面に設置され、合板１１の上の防水シート５の上に通気胴縁６を介して屋根葺き材７が設置され、通気胴縁６が、合板１１を下地として打ち込まれたビス又は釘１４によって取り付けられている。  【選択図】      図１
2010150859.tif 000002
【特許請求の範囲】
【請求項１】
デッキプレートの上面に断熱層が設けられ、該断熱層は、合板の一方の面に発泡樹脂断熱材が接着一体化された断熱材付き合板からなって、発泡樹脂断熱材を下、合板を上にしてデッキプレートの上面に設置されたものからなり、
前記合板の上に防水シートが設置されると共に、該防水シートの上に通気胴縁を介して屋根葺き材が設置されて、防水シートと屋根葺き材との間に屋根通気層が形成されており、
前記断熱層は、前記デッキプレートを下地として、前記合板の上面から打ち込まれたビスによって取り付けられ、
前記通気胴縁は、前記合板を下地として打ち込まれたビス又は釘によって取り付けられていることを特徴とする屋根の構造。
【請求項２】
前記屋根葺き材が金属板からなり、該金属板葺き材を施工するのに用いられる吊りコマが、前記合板を下地として打ち込まれたビス又は釘によって取り付けられている請求項１に記載の屋根の構造。
【請求項３】
前記断熱材付き合板が、発泡樹脂断熱材の発泡時の接着性を利用して合板に接着一体化されたものからなる請求項１又は２に記載の屋根の構造。
【請求項４】
前記デッキプレートの下面側の谷部内を小屋裏換気通路としている請求項１乃至３のいずれか一に記載の屋根の構造。
【請求項５】
前記防水シートが透湿防水シートからなり、小屋裏側から該透湿防水シートを通じて前記屋根通気層に送り込まれた湿気が、該屋根通気層を通じて屋外に排出されるようになされている請求項１乃至４のいずれか一に記載の屋根の構造。
【発明の詳細な説明】
【技術分野】
【０００１】
本発明は、屋根の構造に関する。
【背景技術】
【０００２】
屋根の構造として、デッキプレートの上面に断熱材層を設置した構造のものは、従来より提供されている。
【特許文献１】特開平０３−１５６０４７号公報
【発明の開示】
【発明が解決しようとする課題】
【０００３】
しかしながら、断熱材層の上側に通気胴縁を介して金属板などからなる屋根葺き材を設けて屋根通気層を形成するような場合に、通気胴縁や吊りコマをビスで取り付ける下地は、断熱材層の下のデッキプレートの山部頂面部に確保するしかなく、それでは、デッキプレートまでの距離が大きくなって通気胴縁や吊りコマを安定の良いしっかりとした取付け状態にするのが難しいと共に、デッキプレートの下面側にビスの先端が突き出てしまい、また、デッキプレートの山部頂面位置に対応するように通気胴縁や吊りコマを配置してビス打ちを行わなければならず厄介であるという問題がある。
【０００４】
本発明は、上記のような問題点に鑑み、通気胴縁や吊りコマの取付け状態を安定の良いしっかりとしたものにすることができると共に、デッキプレート下面側からのビス先端の突出をなくすことができ、加えて、デッキプレートの山部の位置に関係なく通気胴縁や吊りコマの取付け位置を決めることができ、しかも、それを施工容易に実現することができる屋根の構造を提供することを課題とする。
【課題を解決するための手段】
【０００５】
上記の課題は、デッキプレートの上面に断熱層が設けられ、該断熱層は、合板の一方の面に発泡樹脂断熱材が接着一体化された断熱材付き合板からなって、発泡樹脂断熱材を下、合板を上にしてデッキプレートの上面に設置されたものからなり、
前記合板の上に防水シートが設置されると共に、該防水シートの上に通気胴縁を介して屋根葺き材が設置されて、防水シートと屋根葺き材との間に屋根通気層が形成されており、
前記断熱層は、前記デッキプレートを下地として、前記合板の上面から打ち込まれたビスによって取り付けられ、
前記通気胴縁は、前記合板を下地として打ち込まれたビス又は釘によって取り付けられていることを特徴とする屋根の構造によって解決される（第１発明）。
【０００６】
この構造では、断熱層として、合板の一方の面に発泡樹脂断熱材が接着一体化された断熱材付き合板を用い、該断熱材付き合板を、発泡樹脂断熱材を下、合板を上にしてデッキプレートの上面に設置する構造としているので、通気胴縁を、デッキプレートよりも近い位置の前記合板を下地としてビス又は釘で取り付けることができ、通気胴縁の取付け状態を安定の良いしっかりとしたものにすることができると共に、デッキプレート下面側からのビス先端の突出をなくすことができ、加えて、デッキプレートの山部の位置に関係なく通気胴縁の取付け位置を決めることができる。
【０００７】
しかも、断熱層が上記のような断熱材付き合板で構成されていることにより、合板と発泡樹脂断熱材とは、それらを一体物として施工することができて、屋根の施工を容易にすることができる。
【０００８】
また、屋根通気層によって、夏季の屋根面の温度上昇を効果的に抑制することができると共に、冬季のデッキプレートでの結露は断熱層によって防ぐことができるのはいうまでもない。
【０００９】
第１発明において、前記屋根葺き材が金属板からなり、該金属板葺き材を施工するのに用いられる吊りコマが、前記合板を下地として打ち込まれたビス又は釘によって取り付けられているとよい（第２発明）。この場合も、通気胴縁と同様に、吊りコマを、デッキプレートよりも近い位置の前記合板を下地としてビス又は釘で取り付けることができ、吊りコマの取付け状態を安定の良いしっかりとしたものにすることができると共に、デッキプレート下面側からのビス先端の突出をなくすことができ、加えて、デッキプレートの山部の位置に関係なく吊りコマの取付け位置を決めることができる。
【００１０】
第１，第２発明において、前記断熱材付き合板が、発泡樹脂断熱材の発泡時の接着性を利用して合板に接着一体化されたものからなるとよい（第３発明）。
【００１１】
この場合は、発泡樹脂断熱材と合板との接着を、発泡樹脂断熱材の製造過程において併せて行うことができて、断熱材付き合板を生産性良く製作することができるのはもちろん、
発泡樹脂断熱材と合板との接着を確実で強固なものにすることができて、断熱材付き合板を、発泡樹脂断熱材を下、合板を上にしてデッキプレートの上面に設置し、デッキプレートを下地として、前記合板の上面から打ち込まれたビスによって取り付けた状態とすることによって、発泡樹脂断熱材も合板も、デッキプレートを下地として、しっかりとした取付け状態にすることができる。
【００１２】
第１〜第３発明において、前記デッキプレートの下面側の谷部内を小屋裏換気通路としているとよい（第４発明）。この場合は、小屋裏換気によって、冬季の結露を防ぐことができると共に、夏季の小屋裏温度の上昇を防ぐことができる。
【００１３】
第１〜第４発明において、前記防水シートが透湿防水シートからなり、小屋裏側から該透湿防水シートを通じて前記屋根通気層に送り込まれた湿気が、該屋根通気層を通じて屋外に排出されるようになされているとよい（第５発明）。この場合は、冬季の小屋裏や屋内の湿気による結露を効果的に防ぐことができる。
【発明の効果】
【００１４】
本発明は、以上のとおりのものであるから、通気胴縁や吊りコマの取付け状態を安定の良いしっかりとしたものにすることができると共に、デッキプレート下面側からのビス先端の突出をなくすことができ、加えて、デッキプレートの山部の位置に関係なく通気胴縁や吊りコマの取付け位置を決めることができ、しかも、それを施工容易に実現することができる。
【発明を実施するための最良の形態】
【００１５】
次に、本発明の実施最良形態を図面に基づいて説明する。
【００１６】
図１〜図３に示す実施形態の屋根の構造は、片流れ式等の傾斜屋根に適用した場合のもので、１は屋根梁としての鋼製母屋であり、該母屋１の上にキーストンプレートなどからなるデッキプレート３が傾斜状態に設置され、該デッキプレート３の上面に断熱層４が設けられ、断熱層４の上に透湿防水シート５が設けられ、該透湿防水シート５の上に通気胴縁６…を介して屋根葺き材７が設置されて、透湿防水シート５と屋根葺き材７との間に屋根通気層８が形成され、図３に示すように、軒下９を空気入口として、外気が軒下９から屋根通気層８に流入し、該屋根通気層８を流れた後、屋外に排出されるようになされている。
【００１７】
各通気胴縁６は、木などからなっていてもよいが、本実施形態では、通気方向に延びる通気路を断面内に複数ないしは多数有する中空シートなどの中空材からなっていて、屋根通気層８の通気がより効果的に行われるようになされている。
【００１８】
また、本実施形態では、デッキプレート３の下面側の谷部内１０を小屋裏換気通路とし、軒下９を空気入口として、外気が軒下から小屋裏換気通路１０に流入し、該小屋裏換気通路１０を流れた後、屋外に排出されるようになされている。換気は、空気の温度差上昇作用によって行われるようになされていてもよいし、ファンによって行われるようになされていてもよい。
【００１９】
断熱層４は、合板１１の一方の面に発泡樹脂断熱材１２が接着一体化された断熱材付き合板からなっていて、発泡樹脂断熱材１２を下、合板１１を上にしてデッキプレート３の上面に設置されたものからなっている。該断熱材付き合板１１は、発泡樹脂断熱材１２の発泡時の接着性を利用して合板１１に接着一体化されたものからなっていて、具体的には例えば、合板への発泡性樹脂の吹付けなどによって製作されたものである。
【００２０】
そして、断熱層４は、デッキプレート３を下地として、合板１１の上面から打ち込まれたビス１３によって取り付けられ、通気胴縁６…は、合板１１を下地として打ち込まれたビス又は釘１４によって取り付けられている。また、屋根葺き材７は金属板からなっていて、金属板葺き材７を施工するのに用いられる吊りコマ１５…が、合板１１を下地として打ち込まれたビス又は釘１４によって取り付けられている。
【００２１】
上記の屋根構造では、断熱層４として、合板１１の一方の面に発泡樹脂断熱材１２が接着一体化された断熱材付き合板を用い、該断熱材付き合板１１を、発泡樹脂断熱材１２を下、合板１１を上にしてデッキプレート３の上面に設置する構造としているので、通気胴縁６…と吊りコマ１５…とを、デッキプレート３よりも近い位置の合板１１を下地としてビス又は釘１４で取り付けることができ、通気胴縁６…と吊りコマ１５…の取付け状態を安定の良いしっかりとしたものにすることができると共に、デッキプレート３の下面側からの通気胴縁用や吊りコマ用のビスの先端の突出をなくすことができ、加えて、デッキプレート３の山部の位置に関係なく通気胴縁６…や吊りコマ１５…の取付け位置を決めることができる。
【００２２】
しかも、断熱層４が上記のような断熱材付き合板で構成されていることにより、合板１１と発泡樹脂断熱材１２とは、それらを一体物として施工することができて、屋根の施工を容易にすることができる。
【００２３】
また、断熱層４において、発泡樹脂断熱材１２と合板１１とは接着一体化されているので、合板１１の上面からデッキプレート３に打ち込まれたビス１３によって、発泡樹脂断熱材１２も合板１１も、デッキプレート３を下地として、しっかりとした取付け状態にすることができる。
【００２４】
加えて、防水シート５が該透湿防水シートからなっているので、小屋裏側から透湿防水シート５を通じて屋根通気層８に送り込まれた屋内の湿気が、屋根通気層８を通じて屋外に排出されるようになされており、冬季の小屋裏や屋内の湿気による結露を効果的に防ぐことができる。
【図面の簡単な説明】
【００２５】
【図１】実施形態の屋根構造を示す断面正面図である。
【図２】同屋根構造の分解正面図である。
【図３】同屋根構造の断面側面図である。
【符号の説明】
【００２６】
３…デッキプレート
４…断熱層
５…透湿防水シート（防水シート）
６…通気胴縁
７…屋根葺き材
８…屋根通気層
１０…小屋裏換気通路
１１…合板
１２…発泡樹脂断熱材
１３…ビス
１４…ビス又は釘
１５…吊りコマ
【図１】
2010150859.tif 000003
【図２】
2010150859.tif 000004
【図３】
2010150859.tif 000005